(57)【要約】【課題】受け門柱が丸柱であっても、扉体を閉めるときに施錠位置に配置しやすい門扉を提供する。【解決手段】吊り門柱１０と、受け門柱２０と、その間に配置される扉体３０とを備えた門扉Ｐであって、扉体３０の一方の側端部は吊り門柱１０に取付けられ、他方の側端部は側方に突出する戸当たり５０を有し、受け門柱２０は円筒状であって、戸当たり５０が係止される戸当たり受け６０を備え、戸当たり受け６０は、扉体３０を閉じて施錠位置に配置した際に、戸当たり５０が当接される受け面６１が扉体３０の面方向と平行に形成されているように構成すれば、工場での組み立て時や施工作業時に伴う僅かな施工誤差が生じても、扉体３０の面方向がずれることなく、所定の施錠位置で施錠することができる。ように構成する。【選択図】        図１
2018188795.tif 000002
【特許請求の範囲】
【請求項１】
受け門柱と、吊り門柱と、その間に配置される扉体とを備えた門扉であって、
前記扉体の一方の側端部は前記吊り門柱に取付けられ、他方の側端部は側方に突出する戸当たりを有し、
前記受け門柱は円筒状であって、前記戸当たりが係止される戸当たり受けを備え、
前記戸当たり受けは、扉体を閉じて施錠位置に配置した際に、前記戸当たりが当接される受け面が前記扉体の面方向と平行に形成されていることを特徴とする門扉。
【請求項２】
前記戸当たりは上下方向に沿って連続して形成されるとともに、扉体を閉じた際、正面視において受け門柱と重合する重合部が上下方向に沿って連続して形成されることを特徴とする請求項１に記載の門扉。
【発明の詳細な説明】
【技術分野】
【０００１】
本発明は、枠体にパネルが取付けられた門扉の戸当たり構造に関する。
【背景技術】
【０００２】
一般に、住宅等の出入口に設置される門扉は、二本の門柱間に一個又は二個の扉体が取付けられた、片開き型、両開き型が多く、これらの扉体には、一側端を吊り門柱によって支持されたいわゆる片持ちタイプの形態が多く採用されている。門扉の他端側には戸当たりが取付けられ、片開き型の場合は受け門柱に戸当たり受けが設けられている。この戸当たりが戸当たり受けに係止する位置で門扉が閉まった状態となり、またこの戸当たりと戸当たり受けの配置関係によって門扉の開放方向が規制される。
【０００３】
例えば、特許文献１には、扉本体の垂直フレームに戸当たりが取付けられて、受け門柱が戸当たり受けを兼ねている建築物の扉が開示されている。
【先行技術文献】
【特許文献】
【０００４】
【特許文献１】実公平６−４９８３８号公報
【発明の開示】
【発明が解決しようとする課題】
【０００５】
前記建築物の扉において、門柱間の距離や扉体を閉じた時の受け門柱と隙間は、施工誤差によって僅かな誤差が生じるところ、戸当たりが係止される受け門柱が矩形状であれば、僅かな誤差が生じても、戸当たりが係止される受け門柱との前後位置関係には差は乗じにくいが、受け門柱の外形が円形の丸柱であると、前記僅かな誤差によって、戸当たりが係止される受け門柱との前後位置関係には違いが生じうる。したがって、扉体を閉めた際に、通常の施錠位置に達する前や、行き過ぎた場所で戸当たりが受け門柱に係止されて、施錠操作に不具合が生じる場合があった。
【０００６】
本発明は、前記の如き問題点を解消し、受け門柱が丸柱であっても、扉体を閉めるときに施錠位置に配置しやすい門扉を提供するものである。
【課題を解決するための手段】
【０００７】
上記目的を達成するために、本発明は次のような構成としている。
すなわち本発明に係る門扉は、受け門柱と、吊り門柱と、その間に配置される扉体とを備えた門扉であって、前記扉体の一方の側端部は前記吊り門柱に取付けられ、他方の側端部は側方に突出する戸当たりを有し、前記受け門柱は円筒状であって、前記戸当たりが係止される戸当たり受けを備え、前記戸当たり受けは、扉体を閉じて施錠位置に配置した際に、前記戸当たりが当接される受け面が前記扉体の面方向と平行に形成されていることを特徴とするものである。
【０００８】
本発明において、戸当たりは上下方向に沿って連続して形成されるとともに、扉体を閉じた際、正面視において受け門柱と重合する重合部が上下方向に沿って連続して形成されるものとしてもよい。
【発明の効果】
【０００９】
本発明によれば、扉体の他方の側端部は側方に突出する戸当たりを有し、受け門柱は円筒状であって、前記戸当たりが係止される戸当たり受けを備え、戸当たり受けは、扉体を閉じて施錠位置に配置した際に、戸当たりが当接される受け面が前記扉体の面の形成方向と平行に形成されているので、扉体の組み立てや、施工時に生じる僅かな誤差によって、吊り門柱と受け門柱との間隔や、受け門柱と扉体との間隔について、僅かな寸法誤差が生じ、戸当たり部の当たり部が受け面に当接する位置が左右方向や上下方向にずれた場合であっても、扉体の面方向はずれることがないので、扉体の錠部の施錠操作に不具合が生じることはない。
【００１０】
本発明において、戸当たりは上下方向に沿って連続して形成されるとともに、扉体を閉じた際、正面視において受け門柱と重合する重合部が上下方向に沿って連続して形成されるようにすれば、戸当たり部の接続部が受け門柱と扉体の縦枠との隙間を塞いで、正面視においてその隙間が接続部の長手方向にわたって視認されなくなる。
【図面の簡単な説明】
【００１１】
【図１】本発明に係る門扉の実施の一形態を示す正面図である。
【図２】図１の扉体の開閉を示す説明図である。
【図３】図１の受け門柱付近の拡大平面図である。
【図４】図１のＡ−Ａ線の主要部の拡大断面図である。
【発明を実施するための形態】
【００１２】
次に、本発明を実施するための最良の形態について図面を参照し、具体的に説明する。
【００１３】
図１は本発明に係る門扉の実施の形態を示す正面図である。門扉Ｐは、間隔をあけて配置された吊り門柱１０及び受け門柱２０と、吊り門柱１０と受け門柱２０との間に配置された扉体３０とを備えている。
【００１４】
吊り門柱１０は、一般には円筒状であって、適宜長さに切断して作製され、下端部が設置面に埋設されており、強度的に安定しておりコストの安い鋼管が好適に用いられるが、鋼管に限るものではなく、アルミニウム合金型材、ステンレス鋼管等を用いてもよい。
【００１５】
扉体３０は、パネル３１と、パネル３１の左右方向の両側端部にそれぞれ配置された縦框３２，３３を備えている。パネル３１は、本形態では、縦板状のパネル本体３１ａと、パネル本体３１ａの外周部に沿って取付けられた枠体３１ｂとを備えており、枠体３１ｂの一方の側端部に縦框３２が取付けられ、他方の側端部に縦框３３が取付けられている。
【００１６】
パネル本体３１ａは、金属、合成樹脂、木材、紙、セメントなどの無機材料、あるいはこれらの複合材料により作製したものでもよく、必要に応じてガラスウールやロックウールなどの吸音材を備えるようにしたものでもよい。本形態では、鋼板からなる板材であって、通風性を確保するために、前後に通じる透孔を有するものとしている。
【００１７】
図２は図１の扉体の開閉を示す説明図であって、（ａ）は扉体が開いた状態、（ｂ）は扉体が閉じた状態を示すものである。扉体３０の縦框３２は、ヒンジ４０を介して吊り門柱１０に固定されており、ヒンジ４０の上下方向に配置された軸４１に対して回動可能となされており、これにより（ａ）に示すように扉体３０をＲ１方向又はＲ２方向に移動させて開閉させるとともに、（ｂ）に示すように扉体３０を受け門柱２０に施錠することができる。
【００１８】
縦框３２，３３は、一般にはアルミニウム合金からなる型材を適宜長さに切断したものや、それらに塗装を施したものを好適に用いることができる。
【００１９】
次に、受け門柱２０と縦框３３との関係について詳しく説明する。図３は図１の受け門柱付近の拡大平面図である。まず、受け門柱２０は、円筒状であって適宜長さに切断して作製され、下端部が設置面に埋設されており、一般には強度的に安定しておりコストの安い鋼管が好適に用いられるが、鋼管に限るものではなく、アルミニウム合金型材、ステンレス鋼管等を用いてもよい。
【００２０】
扉体３０の縦框３３は、受け門柱２０に施錠される錠３４と、扉体３０を施錠位置まで移動した際に、その位置から同じ移動方向への更なる移動を阻止するための戸当たり５０を有している。一方、受け門柱２０は、錠３４が係止される錠受け２１と、戸当たり５０が係止される戸当たり受け６０とを有している。
【００２１】
図４は図１のＡ−Ａ線の主要部の拡大断面図であり、具体的には、錠及び錠受けを省略して表したものである。戸当たり５０は、扉体３０の縦框３３に固定される固定部５１と、戸当たり受け６０に当接する当たり部５２とを備えている。
【００２２】
戸当たり受け６０は、扉体３０を閉める際に、戸当たり５０の当たり部５２と対向する側に当たり部５２が当接される受け面６１を有している。受け面６１は、扉体３０が受け門柱２０に施錠される位置に配置された際に、扉体３０の面方向と平行に形成されている。
【００２３】
これにより、扉体３０の組み立てや、施工時に生じる僅かな誤差によって、吊り門柱１０と受け門柱２０との間隔や、受け門柱２０と扉体３０との間隔に僅かな寸法誤差が生じ、戸当たり５０の当たり部５２が受け面６１に当接する位置が所定の位置からずれても、扉体３０の面方向は所定の方向からずれにくい。従って、扉体３０が所定の施錠位置に移動する前に戸当たり５０によってそれ以上奥側に移動せずに半開きになったり、施錠位置を超えて奥側に移動してしまったりすることが起こりにくく、扉体３０の錠３４の施錠操作に不具合が生じにくい。なお、戸当たり５０の当たり部５２は、本形態では、ゴム弾性を有する材料が用いられており、扉体３０を施錠位置まで移動した際に、当たり部５２が前後方向に収縮した状態で受け面６１に当接するようにしておくことが好ましい。
【００２４】
戸当たり５０は、図１に示すように、縦框３３の長手方向である上下方向に沿って連続して形成されており、その長さは、本形態では、縦框３３と略同じ長さである。加えて、戸当たり５０は、扉体３０を施錠位置まで移動した際に、正面視において、受け門柱２０と重なり合う重なり部５３が上下に沿って連続して形成されている。
【００２５】
これにより、戸当たり５０が受け門柱２０と扉体３０との隙間を塞いで、正面視においてその隙間が重なり部５３の長手方向にわたって視認されなくなる。したがって、戸当たり受け６０の上下方向の長さは、図１に示すように、戸当たり５０の上下方向の全長にわたって設ける必要はなく、受け門柱２０に取付けられている他の金具と干渉しなければよい。本形態では、受け門柱２０において、扉体３０が配置された位置と反対側に取付けられた塀パネル７０の取付金具２２と干渉しなければよい。
【００２６】
すなわち、図示しないが、例えば、受け門柱が矩形状の場合、受け門柱の側面に戸当たり受けを取付ける場合は、戸当たり受けを戸当たり５０の上下方向の長さと同程度としなければ、受け門柱と扉体３０との間の隙間を塞ぐことができない。また、受け門柱に戸当たり５０の当たり部５２を直接当接させる場合は、受け門柱と扉体３０との隙間を塞ぐことができるが、取付金具２２のようなものが受け門柱に取付けられていると、当たり部５２と取付金具との干渉を避けた構造とする必要がある。本形態のように、受け門柱２０を円筒状とすれば、戸当たり５０の当たり部５２を戸当たり受け６０の受け面６１に係止させ、かつ、取付金具２２との干渉を避け構造を比較的容易になし得るため、正面視において、戸当たり５０によって受け門柱２０と扉体３０との隙間を容易に塞ぐことができる。
【００２７】
戸当たり受け６０は、図４に示すように、本形態では、前後一対の受け部材６２，６２を備えており、受け部材６２の外側面に受け面６１がそれぞれ形成されている。受け部材６２同士は連結板部６３により連結されて断面略コ字状に形成されている。また、受け門柱２０は、扉体３０側にビス孔２０ａを有しており、連結板部６３の扉体３０側から左右方向に貫通する透孔６０ａを通してビス孔２０ａに向けてビスＢを螺入し、一対の受け部材６２，６２の受け門柱２０側の先端部が受け門柱２０にそれぞれ当接することによって、戸当たり受け６０が受け門柱２０に固定される。
【００２８】
これにより、ビス孔２０ａの位置が所定の位置となるように受け門柱２０を設置しておけば、ビスＢの螺入操作によって、戸当たり受け６０が受け門柱２０にしっかり固定されて、受け部材６２の受け面６１の形成方向がずれにくくなる。なお、本形態では、戸当たり受け６０の上下端部に蓋部が設けられており、ビスＢを螺入したときに、受け部材６２同士が外側へ広がって変形することを抑えることができる。
【００２９】
また、本形態では、戸当たり５０は、上下方向に対称状に形成され、上下方向に反転させることによって、縦框３３に対して戸当たり５０が図１に示す手前側に配置された形態と奥側に配置された形態とを選択可能となされている。
【００３０】
これにより、扉体３０を開く向きを手前側又は奥側に設定可能であり、つまり、図１のような左開きの門扉Ｐに対して、右開きの門扉Ｐとすることも可能である。
【００３１】
以上、本発明の門扉について、実施形態に基づいて説明したが、本発明は、これらの実施形態に限定されるものではない。本発明の要旨を逸脱しない範囲内で当業者が思いつく各種変形を施したものも本発明の範囲内に含まれる。
【産業上の利用可能性】
【００３２】
本発明は、住宅等の出入口に設置される門扉において広く利用することができる。
【符号の説明】
【００３３】
１０  吊り門柱
２０  受け門柱
２０ａ  ビス孔
２１  錠受け
２２  取付金具
３０  扉体
３１  パネル
３１ａ  パネル本体
３１ｂ  枠体
３２，３３  縦框
３４  錠
３４ａ  軸
４０    ヒンジ
４１    軸
５０    戸当たり
５１    固定部
５２    当たり部
５３    重なり部
６０    戸当たり受け
６０ａ  透孔
６１    受け面
６２    受け片部
６３    連結板部
７０    塀パネル
Ｐ    門扉
【図１】
2018188795.tif 000003
【図２】
2018188795.tif 000004
【図３】
2018188795.tif 000005
【図４】
2018188795.tif 000006